(57)【要約】【課題】  携帯電話端末などの端末装置で、２つのアプリケーションを連動させて、一方のアプリケーションの制御で、地域性のある他方のアプリケーションを実行する場合の問題を解決する。【解決手段】  第１及び第２の受信処理で個別に受信したデータを、第１及び第２のアプリケーションプログラムにより個別に処理する場合に、第１の受信処理で受信したデータに、第２のアプリケーションプログラムでの処理を指定する特定データが含まれ、その特定データが地域性を有する処理である場合に、第２のアプリケーションプログラムを実行する現在の地域を判断して、特定データで指定された処理が属する地域と一致しないときに、特定データで指示された内容を、所定のテーブルのデータに基づいて変換して第２のアプリケーションプログラムでの処理を実行するようにした。【選択図】    図３
2006115212.tif 000002
【特許請求の範囲】
【請求項１】
第１のアプリケーションプログラムに基づいてデータを受信する第１の受信部と、
第２のアプリケーションプログラムに基づいてデータを受信する第２の受信部と、
前記第１及び第２の受信部で受信したデータを、前記第１及び第２のアプリケーションプログラムにより処理するアプリケーションプログラム実行部とを備え、
前記アプリケーションプログラム実行部は、前記第１の受信部で受信したデータに、第２のアプリケーションプログラムでの処理を指定する特定データが含まれ、その特定データが地域性を有する処理である場合に、第２のアプリケーションプログラムを実行する現在の地域を判断して、特定データで指定された処理が属する地域と一致しないときに、前記特定データで指示された内容を、所定のテーブルのデータに基づいて変換して第２のアプリケーションプログラムでの処理を実行することを特徴とする
携帯端末装置。
【請求項２】
請求項１記載の携帯端末装置において、
前記第１の受信部は、無線電話回線を経由してデータを受信する受信部であり、前記第２の受信部は、放送コンテンツを受信する受信部であり、
前記アプリケーションプログラム実行部は、前記第１の受信部で受信したデータで指定された前記第２の受信部での受信チャンネル又は受信周波数を、別の受信チャンネル又は受信周波数に変換する処理を行うことを特徴とする
携帯端末装置。
【請求項３】
請求項２記載の携帯端末装置において、
前記受信チャンネル又は受信周波数の変換を行うテーブルは、前記第２の受信部が受信した放送データに含まれる電子番組案内情報に基づいて作成することを特徴とする
携帯端末装置。
【請求項４】
第１のアプリケーションプログラムに基づいてデータを受信する第１の受信処理と、
第２のアプリケーションプログラムに基づいてデータを受信する第２の受信処理と、
前記第１及び第２の受信処理で受信したデータを、前記第１及び第２のアプリケーションプログラムにより処理するアプリケーションプログラム実行処理とを行う受信方法であり、
前記アプリケーションプログラム実行処理として、前記第１の受信処理で受信したデータに、第２のアプリケーションプログラムでの処理を指定する特定データが含まれ、その特定データが地域性を有する処理である場合に、第２のアプリケーションプログラムを実行する現在の地域を判断して、特定データで指定された処理が属する地域と一致しないときに、前記特定データで指示された内容を、所定のテーブルのデータに基づいて変換して第２のアプリケーションプログラムでの処理を実行することを特徴とする
受信方法。
【請求項５】
請求項４記載の受信方法において、
前記第１の受信処理は、無線電話回線を経由してデータを受信する処理であり、前記第２の受信処理は、放送コンテンツを受信する処理であり、
前記アプリケーションプログラム実行処理は、前記第１の受信処理で受信したデータで指定された第２の受信処理での受信チャンネル又は受信周波数を、別の受信チャンネル又は受信周波数に変換することを特徴とする
受信方法。
【請求項６】
請求項５記載の受信方法において、
前記受信チャンネル又は受信周波数の変換を行うテーブルは、前記第２の受信処理で受信した放送データに含まれる電子番組案内情報に基づいて作成することを特徴とする
受信方法。
【発明の詳細な説明】
【技術分野】
【０００１】
本発明は、携帯電話端末等の携帯端末装置及びその携帯端末を使用した受信方法に関し、特に、携帯端末装置にコンテンツを表示させる技術に関する。
【背景技術】
【０００２】
近年、携帯電話端末等の携帯端末の発展に伴い、従来からある通話用の送受話機能、電子メールの送受信機能、インターネットの接続機能等に加え、テレビジョン（以下、テレビと呼ぶ）受信機能、ビデオ（テレビ）ゲーム機能、カメラ機能などの様々な機能が内蔵された携帯電話端末が実用化されている。テレビ受信機能を内蔵した端末の場合には、放送受信用チューナを内蔵する。
【０００３】
上述した各種機能は、予め携帯電話端末の内蔵メモリに記憶させたアプリケーションプログラム（以下、アプリケーションと呼ぶ）に基づいた制御や処理により実現される。アプリケーションは、それぞれ独自の機能を有しており、単独又は連動して使用されるものである。例えば、電話機としての通話処理に加えて、ゲームを行って画面に表示したり、カメラとして使用したり、音楽出力を行うなどといった様々な処理が可能である。例えば表示に関連したアプリケーションの場合には、携帯電話端末の選択／決定ボタン等のユーザ操作で入力された指令に基づいて、対応するアプリケーションがメモリから読み出され、端末に内蔵された各種デバイスの制御を行うＣＰＵ（Central Processing Unit）で解釈され、実行されることで端末の表示部にコンテンツが表示される。
【０００４】
携帯電話端末で、表示に関係したアプリケーションを実行する場合には、２つのアプリケーションを同時に実行して、その２つのアプリケーションに基づいた表示を、同時に行う場合がある。２つのアプリケーションに基づいた表示を、同時に行う例としては、例えば、Ｗｅｂブラウザとメーラを起動させた例がある。インターネットに接続し、ホームページ等の内容を表示させるアプリケーションとしてＷｅｂブラウザがある。Ｗｅｂブラウザを用いて特定のＵＲＬ（Uniform Resource Locator）を指定したり、あるいは検索エンジン等を利用することで、目的のリソースにインターネット接続し内容を知ることができる。また、電子メールを送受信するためのアプリケーションとしてメーラがある。メーラを用いることで、送信者、受信者が互いのメールアドレスを指定し、電子メールを送受信できる。
【０００５】
これら二つのアプリケーションが、同時に起動され、それぞれのコンテンツが１つの画面中に同時に表示されることで、例えば、メーラで内容を表示した電子メールを見ながら、Ｗｅｂブラウザを用いて、インターネット接続を楽しむという操作が行われる。
【０００６】
特許文献１には、主表示部と副表示部の２種類の表示画面を用いて、それぞれの表示画面に対して複数のアプリケーションを同時に処理し、コンテンツを表示させることが可能である携帯電話端末について記載してある。
【特許文献１】特開２００３−２０４３７８号公報（図２）
【発明の開示】
【発明が解決しようとする課題】
【０００７】
ところで、２つのアプリケーションを同時に起動させて表示を行う場合には、一方のアプリケーションでの処理に基づいて、他方のアプリケーションでの表示に関する設定を行う場合がある。例えば、テレビ放送受信用のチューナを内蔵した携帯電話端末で、電子メールを送受信するためのアプリケーションを起動させて、その起動させたアプリケーションの処理で、推薦するテレビ放送番組の一覧と、その推薦番組が放送される放送局のチャンネルへのリンク情報が記載された電子メールを受信したとする。
【０００８】
この受信した電子メールによるメール文や画像を携帯電話端末で表示させた場合、その表示されたメール文中の推薦番組が放送される放送局のチャンネルへのリンク箇所を確定操作することで、例えば携帯電話端末内のテレビ放送受信用のアプリケーションが起動して、指定された放送局が放送を行っているチャンネルの受信をして、受信映像を表示部に表示するとともに受信音声をスピーカなどから出力するようになる。
【０００９】
このようにして、１つのアプリケーションでの指示に基づいて、別のアプリケーションでの処理が連動して実行される場合があるが、携帯電話端末を所持するユーザの居場所によっては、電子メールによるリンクで対応できない場合が想定される。
【００１０】
具体的には、例えば、受信した電子メールで、北海道で放送されるテレビ放送番組の放送局へのリンクデータがあっても、そのメールを受信したユーザが北海道以外の地域にいた場合には、意味をなさなくなる。リンクデータに基づいて特定のチャンネルの自動受信を行ったとしても、そのチャンネル番号で放送される放送局が違う放送局になる可能性が高く、リンク機能が有効に機能しない。
【００１１】
なお、ここでは電子メール機能とテレビ放送受信機能との２つのアプリケーションを連動させる場合について説明したが、その他の２つのアプリケーションを連動させる場合にも、一方のアプリケーションの実行が、地域毎に限定されるような場合には、同様な問題がある。
【００１２】
本発明はこのような状況に鑑みて成されたものであり、２つのアプリケーションを連動させて、一方のアプリケーションで地域性のある他方のアプリケーションを実行する場合の問題を解決することを目的とする。
【課題を解決するための手段】
【００１３】
本発明は、第１のアプリケーションプログラムに基づいてデータを受信する第１の受信処理と、第２のアプリケーションプログラムに基づいてデータを受信する第２の受信処理と、第１及び第２の受信処理で受信したデータを、第１及び第２のアプリケーションプログラムにより処理するアプリケーションプログラム実行処理とを行うようにした場合に、アプリケーションプログラム実行処理として、第１の受信処理で受信したデータに、第２のアプリケーションプログラムでの処理を指定する特定データが含まれ、その特定データが地域性を有する処理である場合に、第２のアプリケーションプログラムを実行する現在の地域を判断して、特定データで指定された処理が属する地域と一致しないときに、特定データで指示された内容を、所定のテーブルのデータに基づいて変換して第２のアプリケーションプログラムでの処理を実行するようにしたものである。
【００１４】
このようにしたことで、第１のアプリケーションプログラムでの処理で指定されたデータが地域性を有する処理であり、現在の地域がそのデータで指定された処理が属する地域と一致しない場合に、データが変換され、地域性が一致した第２のアプリケーションプログラムの処理が可能になる。
【発明の効果】
【００１５】
本発明によれば、２つのアプリケーションプログラムを連携させて作動させて、一方のアプリケーションプログラムに基づいて他方のアプリケーションプログラムで地域性を有する処理が指定された場合に、現在の地域が一致しない場合に、その地域性を有する処理を指定する内容が変換されるので、地域性を有する処理を実行する際に、そのときの居場所に対応した処理が可能になり、地域に応じた処理がどこにいても可能になる。
【００１６】
この場合、第１の受信処理が無線電話回線を経由してデータを受信する処理であり、第２の受信処理が放送コンテンツを受信する処理であり、第１の受信処理で受信したデータで指定された第２の受信処理での受信チャンネル又は受信周波数を、別の受信チャンネル又は受信周波数に変換する処理を行うことで、地域毎に番組が放送されるチャンネルや周波数が違う場合の対処がとれるようになる。
【００１７】
さらに、その受信チャンネル又は受信周波数の変換を行う場合に、受信チャンネル又は受信周波数の変換を行うテーブルは、第２の受信処理で受信した放送データに含まれる電子番組案内情報に基づいて作成することで、地域毎の放送チャンネルや周波数などを、その電子番組案内情報から簡単に判断できるようになる。
【発明を実施するための最良の形態】
【００１８】
以下、本発明の一実施の形態を、添付図面を参照して説明する。本実施の形態では、通話用の送受話機能、電子メール機能、インターネット接続機能等に加え、テレビ放送の受信機能を備えた携帯端末装置に適用して例としてある。ここでは、携帯端末装置としてデジタルセルラ方式の携帯電話端末に適用した例について説明する。
【００１９】
まず、本例の携帯電話端末の外観形状の例について説明する。図１は、本例の携帯電話端末１００の外観形状の例を示した図である。携帯電話端末１００は、上部筐体５と下部筐体７をヒンジ部６を支点として折りたたみ可能に接続させた構成としてある。なお、図１では開いた状態として示してある。図１では、折りたたんだ際に、対向する内側の面を示してある。
【００２０】
上部筐体５には、通話時における通信相手の音声や着信メロディ等の音声出力を行うスピーカ１と、液晶ディスプレイパネル等を用いて文字や数字、記号、アイコン、カーソル、静止画像、動画像等を表示する表示部２が設置してある。本例の携帯電話端末１００では、表示部２を任意の大きさに二分割して、それぞれの表示画面に異なるコンテンツを表示させること（マルチ・ウィンドウ表示）が可能である。また、下部筐体７には、１，２…９，０の数字及び＃、＊の記号のダイヤルキー、各種ファンクションキー、カーソル操作等を行う方向指示キー、操作を確定させるエンターキー等のキーが配置された入力手段として用いられるキー操作部３と、音声入力を行うマイクロフォン４が設けてある。方向指示キーとエンターキーとしては、回転操作と押し下げ操作とが行えるジョグダイヤルを使用してもよい。
【００２１】
表示部２の上部にある携帯電話端末１００の各種状態アイコンを表示するピクト表示領域２０には、電池残量を示す電池アイコン２１と、電波の受信レベルを示すアンテナアイコン２２が表示される領域が用意されている。そして本例においては、携帯電話端末１００の表示部２として、上下２画面で異なるアプリケーションによる画像を分割表示することができる構成としてある。具体的には、例えば図１に示すように、表示部２の表示範囲を上下に２分割した第１表示領域２３と、第２表示領域２５とで、それぞれ異なるアプリケーションの画像が表示できるようにしてある。各表示領域２３，２５での表示状態の詳細については後述する。また、表示部２の下部には、左操作する左操作アイコン２７と、右操作する右操作アイコン２８がありコンテンツの項目を指定したり、画面移動等が可能である。
【００２２】
なお、本例では折りたたみ型の携帯電話端末を用いて説明したが、ストレート型、リボルバー型等のその他の各種形状として構成してもよい。
【００２３】
次に、携帯電話端末１００の内部構成例を図２のブロック図を参照して説明する。
【００２４】
まず携帯電話端末１００の音声通話時の受信系について説明すると、アンテナ１１が送受信部１２に接続してあり、図示していない外部の基地局から所定の通信方式で送信される信号を送受信部１２で受信する。送受信部１２で受信及び送信を行う無線通信方式としては、例えばＣＤＭＡ（Code Division Multiple Access：符合分割多重接続）方式が適用される。
【００２５】
送受信部１２で受信され復調された受信信号は、データ処理部１３に供給され、受信パケットが抽出されて、そのパケットから音声データ、制御データなどの必要なデータが取り出される。取り出された音声データは、音声処理部１４に供給されて、デジタルデータからアナログ音声信号への変換、増幅などの音声処理が行われ、スピーカ１に供給されることで通話相手の音声が出力される。
【００２６】
音声通話時の送信系について説明すると、マイクロフォン４から供給される音声信号は、音声処理部１４でデジタル音声データに変換され、変換された音声データは、データ処理部１３に供給されて、音声データが送信パケット内に配置される。送信パケットには、制御データなどのその他のデータについても配置される。データ処理部１３で生成された送信パケットは、送受信部１２に供給されて、所定の変調処理が行われた後、所定の送信周波数の送信信号に周波数変換され、その周波数変換された送信信号がアンテナ１１から無線送信される。これらの受信処理及び送信処理は、この端末１００のＣＰＵ（Central Processing Unit）１７の制御で実行され、表示部２で必要な表示が行われる。ＣＰＵ１７での制御に必要なプログラムは、メモリ１８に記憶させてある。
【００２７】
また、本例の携帯電話端末１００で、電子メールの送受信やインターネットへのアクセスなどを行うために、データ受信及びデータ送信を行う際には、ＣＰＵ１７の制御で、データ処理部１３で受信パケットから必要なデータの抽出及び送信パケットへの必要なデータの配置が行われる。受信したデータの処理や送信するデータの処理については、メモリ１８に記憶された各機能用のアプリケーションをＣＰＵ１７が実行することで実現される。
【００２８】
例えば、電子メールの送受信を行う場合には、ＣＰＵ１７での制御に基づいて電子メールデータの受信又は送信が行われ、受信した電子メールデータによる表示部２での表示や、送信される電子メールのキー操作部３での入力処理は、メモリ１８に記憶されたメール用のアプリケーションを、ＣＰＵ１７が実行することで実現される。Ｗｅｂブラウザを用いてインターネットにアクセスする際にも、メモリ１８に記憶されたメール用のアプリケーションを、ＣＰＵ１７が実行することで実現され、ダウンロードされた画像の表示などが表示部２で行われる。ＣＰＵ１７と各部との間は、システムバス１９を介して制御データなどのやり取りを行う構成としてある。
【００２９】
次に、本例の携帯電話端末１００が備えるテレビ放送を受信する機能について説明すると、端末１００にはテレビアンテナ１５が内蔵又は外付けされ、そのテレビアンテナ１５が接続されるテレビチューナ１６を備える。本例のテレビチューナ１６は、地上波のデジタル放送信号を受信することができるテレビチューナとして構成される。テレビチューナ１６での受信処理については、ＣＰＵ１７の制御で実行され、受信した放送信号より得た映像信号による表示が表示部２で行われ、受信した放送信号より得た音声信号の出力がスピーカ１（又は図示しないイヤホン）から行われる。
【００３０】
テレビチューナ１６では、テレビ放送のメインのコンテンツデータである番組の映像信号や音声信号の受信だけでなく、各種付随データについても受信するようにしてある。例えば、番組表などを表示させるためのＥＰＧデータ（Electronic Program Guide：電子番組案内情報）も受信するようにしてある。受信したＥＰＧデータに基づいた番組表などの表示処理については、メモリ１８に記憶されたテレビ放送受信用のアプリケーションを、ＣＰＵ１７が実行することで実現される。なお、デジタル放送で送信されるＥＰＧデータには、各チャンネルの番組表を表示させるためのデータだけでなく、各チャンネルの放送局に関するデータなども含まれる。放送局に関するデータとしては、例えば、その放送局が属する系列（放送局が属する放送ネットワーク）に関するデータがある。本例の場合には、このＥＰＧデータを受信した場合には、ＥＰＧデータに含まれる放送局が属する系列に関するデータを、メモリ１８にテーブルとして記憶させるようにしてある。メモリ１８への記憶状態については後述する。
【００３１】
なお、本例の携帯電話端末１００は、ＣＰＵ１７の制御で複数のアプリケーションの内の少なくとも２つを同時に実行できるようにしてある。即ち、メモリ１８に記憶された複数のアプリケーションプログラムの内の、ユーザによるキー操作などで選択された少なくとも２つのアプリケーションをＣＰＵ１７が同時に実行して、それぞれの処理に基づいた表示などが同時に行えるようにしてある。例えば、電子メール用のアプリケーションと、テレビ放送受信用のアプリケーションとを同時に処理して、表示部２の表示領域２５（図１）に受信した電子メールを表示させ、表示部２の表示領域２３（図１）に受信したテレビ放送番組を表示させることができるようにしてある。或いは、インターネットへの接続を行うアプリケーションと、テレビ放送受信用のアプリケーションとを同時に処理して、表示領域２３及び２５に分割表示させることもできる。
【００３２】
また、２つのアプリケーションを同時に起動させた際には、一方のアプリケーションによる処理と他方のアプリケーションによる処理とを連携させる場合がある。例えば、電子メール用のアプリケーションで受信した電子メール中に、特定の放送局で放送される番組（コンテンツ）を指定するリンクデータがある場合に、そのリンクデータに対応したメール文が表示された箇所をユーザが選択する操作があると、ＣＰＵ１７は、テレビ放送を受信するアプリケーションを起動させて、テレビチューナ１６でその番組が放送されるチャンネルを受信させて、映像の表示及び音声の出力を行う構成としてある。リンクデータと実際に受信するチャンネルとの対応については、受信したＥＰＧデータを参照してＣＰＵ１７が判断する。
【００３３】
但し、受信した電子メール中のリンクデータで指定された番組が放送される放送局が、現在の携帯電話端末１００の位置で受信できない場合には、そのリンクデータで指定された受信チャンネルを、現在の位置で受信可能な別のチャンネルに変換するようにしてある。その変換時にも、受信したＥＰＧデータを参照して、変換するチャンネルを設定するようにしてある。即ち、ＣＰＵ１７は、テレビチューナ１６で受信したＥＰＧデータに基づいて、その地域で受信可能な放送局のリスト（テーブル）を作成して、メモリ１８に記憶させるようにしてある。そして、そのテーブル内のデータを参照して、指定された番組が放送される放送局が存在する場合（つまりリンクデータで指定された番組が放送される地域が現在位置で受信できる放送局の地域と一致した場合）には、該当する放送局を受信する。また、テーブル内のデータで存在する受信可能な放送局に、指定された番組が放送される放送局が存在しない場合（つまりリンクデータで指定された番組が放送される地域が現在位置で受信できる放送局の地域と一致しない場合）には、テーブル内のデータから、最も受信に適した放送局を選ぶようにしてある。その最も受信に適した放送局を選ぶ際には、リンクデータに付加された放送局と、テーブル内のデータで示された放送局とで、放送局の系列が一致した局を選ぶようにしてある。
【００３４】
図４は、ＣＰＵ１７の制御でＥＰＧデータを受信して、その地域で受信可能な放送局のリストを、テレビチャンネルテーブルとして作成した場合の一例を示した図である。図４に示すように、ＥＰＧデータでは、その地域で受信できる放送局名と、その放送局が受信できる地域名と、その放送局が属する系列局に関するデータと、その放送局のチャンネル番号についてのデータなどを有し、それぞれのデータをテーブル化して記憶させてある。テレビチューナ１６で受信したＥＰＧデータに含まれるこれらのデータが変化した場合（即ち端末１００の位置が変化して受信できる放送局が変化した場合）には、このテーブルの記憶データは更新される。なお、テーブルについては、メモリ１８が常時記憶させるようにしてもよいが、チューナ１６がテレビ放送を受信してＥＰＧデータを取得できている間だけ、その受信データに基づいて記憶させるようにしてもよい。
【００３５】
次に、本例の携帯電話端末１００で２つの異なるアプリケーションを同時に起動させた場合の処理例について説明する。ここでは、電子メールを処理するアプリケーションと、テレビ放送を受信するアプリケーションとを同時に起動させた例としてある。具体的には、例えば、受信した電子メールを表示させるアプリケーションを起動させて、表示部２の第２表示領域２５に受信したメール文を表示させた状態で、その表示されたメール文中の番組リンクデータが表示された箇所が、ユーザのキー操作部３の操作で選択された場合に、テレビ放送を受信するアプリケーションの処理で、テレビチューナ１６でその番組が放送されるチャンネルを受信させて、表示部２の第１表示領域２３に受信した映像の表示を行うとともに、受信した音声の出力を行う処理であるとする。
【００３６】
図３は、この電子メールを処理するアプリケーションと、テレビ放送を受信するアプリケーションとを同時に起動させた場合の処理例を示したフローチャートである。図３のフローチャートに従って処理を説明すると、まず電子メールを処理するアプリケーションの処理で、電子メールを受信した際に、特定の番組のリンクデータを受信したとする（ステップＳＴ４１）。このときのリンクデータとしては、例えば、番組が送出される放送局などの送出者情報と、放送される地域情報とが含まれている。ここでの送出者情報には、放送局とともにその放送局が属する系列についてのデータも含まれている。
【００３７】
図５は、放送番組のリンクデータの構成の一例を示した図である。ここではリンクデータは、例えば、ＨＴＭＬ（Hyper Text Markup Language）のようなマークアップ言語で構成され、番組名の記述箇所ｄ１と、想定放送地域の記述箇所ｄ２と、系列情報ｄ３と、番組が放送されるアドレス（即ち受信放送局を指定するデータ）の記述箇所ｄ４などで構成される。なお、図５に示した記述例は、リンクデータの説明のために簡略化して示したものであり、実際の構成とは異なる。
【００３８】
図３のフローチャートの説明に戻ると、このようなリンクデータを受信して、そのリンクデータ（コンテンツ変更先アドレス）が含まれるメール文が表示されたとする（ステップＳＴ４２）。この表示時には、例えば番組名がメール文として表示される。そして、ＣＰＵ１７は、その表示された番組名を選択するユーザ操作があるか否か判断する（ステップＳＴ４３）。該当するユーザ操作がない場合には、テレビ放送を受信するアプリケーションでの受信チャンネル設定（変更）を行わず、ここでの処理を終了する。
【００３９】
そして、ステップＳＴ４３で該当するユーザ操作がある場合には、ＣＰＵ１７では、リンクデータに含まれる放送局を受信するように、チューナ１６での受信チャンネルを設定（変更）させる（ステップＳＴ４４）。ここでの受信チャンネルの設定処理としては、そのときに受信されたＥＰＧデータで示された受信可能放送局の一覧に含まれているか否か判断し、一覧に含まれている場合には、該当する放送局のチャンネルの受信を行うように選局を行う。また、一覧に含まれていない場合には、リンクデータに含まれる放送局の系列データと一致する系列の放送局があるか否か判断し、一致する放送局があるとき、その系列が一致した放送局を受信する。
【００４０】
そして、ステップＳＴ４４で受信した放送局の放送番組（コンテンツ）の映像を、表示部２の第１表示領域２３に表示させるとともに、音声をスピーカ１などから出力させる（ステップＳＴ４５）。
【００４１】
ここで、具体的な操作を例に挙げて、携帯電話端末１００のコンテンツ切替えによる画面遷移例を図６を参照して説明する。図６（ａ）は遷移前画面の表示例、図６（ｂ）は遷移後画面の表示例を示している。
【００４２】
図６の例では、同時に起動されている２つのアプリケーションの内の一方のアプリケーションは、デジタルテレビ視聴アプリケーションであり、図６（ａ）に示すように、表示部２の第１表示領域２３には、そのアプリケーションの処理で取得したコンテンツの表示として、デジタルテレビ放送番組の画像が表示されている。また、他方のアプリケーションは、メーラであり、図６（ａ）に示すように、表示部２の第２表示領域２５には、コンテンツの表示として受信した電子メール文が表示されている。電子メールには、例えば、「今日の番組情報（札幌）」タイトルとＸＸＸテレビのテレビ番組２６ａ（ニュース）、ＹＹＹテレビのテレビ番組２６ｂ（ドキュメンタリ）、ＺＺＺテレビのテレビ番組２６ｃ（バラエティ）のタイトルが表示されている。図６（ａ）では放送局名が表示されていない例としてあるが、番組タイトルとともに表示させてもよい。ここで、テレビ番組２６ａ〜２６ｃについては、番組タイトルを選択決定すると、希望の番組が放送されるチャンネルの選局を行って、第１表示領域２３に該当するチャンネルのテレビ番組が表示されるようリンク設定されている。
【００４３】
この状態で、例えば第２表示領域２５に表示されたテレビ番組２６ａ〜２６ｃの内のテレビ番組２６ｂのタイトルを選択するユーザ操作があると、図６（ｂ）に示すように、テレビ番組２６ｂ（ドキュメンタリ）のタイトルが強調表示され、第１表示領域２３にはテレビ番組２６ｂが放送されるチャンネル（ＹＹＹテレビのチャンネル）の受信映像が表示されるようになる。テレビ番組２６ｂが放送される時間帯であれば、該当するドキュメンタリ番組が表示される。
【００４４】
ところで、このようにリンクデータにより指定された放送局のチャンネルへの選局が直接行えるのは、電子メールで示された番組の放送地域と、現在、携帯電話端末１００がいる地域とが一致した場合である。例えば、電子メールで示された番組の放送地域が札幌であり、現在端末１００がいる地域が東京であるとする。このとき、現在携帯電話端末１００が受信したＥＰＧデータを元にテレビチャンネルテーブル１０１を作成してあり、そのテレビチャンネルテーブル１０１に含まれる系列データと、選択されたテレビ番組２６ｂのリンクデータで示された系列データとが一致した放送局を受信するように、既に図３のフローチャートで説明した受信チャンネルの変更処理を行うことで、どの地域にいても対応がとれるようになる。
【００４５】
このように、電子メールに記載された放送局のテレビチャンネルとユーザがいる地域の放送局のテレビチャンネルが異なっていたとしても地域差を意識することなく、電子メールで推薦された番組が放送されるチャンネルを視聴することが可能となるという効果がある。なお、ここまでの例では、テレビ放送チャンネルの切換処理をリンクデータで行う例としたが、例えば携帯電話端末にハードディスクドライブ装置や大容量のメモリなどが内蔵されて、端末自身で放送番組の録画が可能である構成として、番組データに基づいて、その放送番組の録画予約を行う際の受信チャンネル設定を、同様の処理でリンクデータに基づいて必要によりチャンネル変更を行うようにしてもよい。
【００４６】
なお、上述した実施の形態では、一方のアプリケーションをテレビ視聴を行うアプリケーションとし、他方のアプリケーションをメーラとした例を挙げて説明したが、これに限定されるものでなく、ホームページ等に記載されたテレビ番組アドレスから目的のテレビ番組に接続してもよい。例えば、インターネットに接続するアプリケーションによる処理で、テレビ番組表が表示されるホームページにアクセスして、テレビ番組表を表示させて、その番組表中の番組やチャンネルが選択された場合に、端末がいる地域に応じて受信チャンネルを変更するようにしてもよい。
【００４７】
また、上述した実施の形態では、地域性を有するデータが属する地域と、端末がいる地域との一致、不一致の判断を、放送データとともに受信されるＥＰＧデータに基づいて判断するようしたが、ＥＰＧデータ以外のデータを使用して判断するようにしてもよい。例えば、携帯電話端末の位置を測位する機能を利用してもよい。ＥＰＧデータを利用する場合でも、インターネットなどの放送以外の経路でダウンロードしたＥＰＧデータを利用してもよい。
【００４８】
また、上述した実施の形態では、携帯電話端末を用いた例を挙げて説明したが、これに限定されるものではなく、その他の携帯端末装置でもよく、例えばテレビチューナとメール受信機能を備えたＰＤＡ（Personal Digital Assistants）等の携帯型情報端末を用いて、同様の処理を行うようにしてもよい。
【００４９】
また、上述した実施の形態では、地域性を有するコンテンツを取得するアプリケーションとして、テレビ放送番組を視聴するアプリケーションを例として説明したが、その他の地域性を有するコンテンツを取得するアプリケーションに適用してもよい。例えば、ラジオ放送を受信する受信部が端末に内蔵されて、別のアプリケーションで、ラジオ放送番組を指定するリンクデータがある場合に、そのラジオ放送局が受信できる地域に応じて、受信周波数を変更させるようにしてもよい。
【図面の簡単な説明】
【００５０】
【図１】本発明の一実施の形態における携帯電話端末の外観形状の例を示した平面図である。
【図２】本発明の一実施の形態における携帯電話端末の内部構成例を示したブロック図である。
【図３】本発明の一実施の形態におけるコンテンツ変更処理例を示したフローチャートである。
【図４】本発明の一実施の形態におけるテレビチャンネルテーブルの構成例を示した説明図である。
【図５】本発明の一実施の形態におけるチャンネル切替えソースの記述例を示した説明図である。
【図６】本発明の一実施の形態における携帯電話端末の画面遷移の表示例を示した説明図である。
【符号の説明】
【００５１】
１…スピーカ、２…表示部、３…キー操作部、４…マイクロフォン、５…上部筐体、６…ヒンジ部、７…下部筐体、１１…アンテナ、１２…送受信部、１３…データ処理部、１４…音声処理部、１５…テレビアンテナ、１６…テレビチューナ、１７…ＣＰＵ、１８…メモリ、１９…システムバス、２０…ピクト表示領域、２１…電池アイコン、２２…アンテナアイコン、２３…第１表示領域、２５…第２表示領域、２６ａ，２６ｂ，２６ｃ…テレビ番組画像、２７…左操作アイコン、２８…右操作アイコン、１００…携帯電話端末、１０１…テレビチャンネルテーブル
【図１】
2006115212.tif 000003
【図２】
2006115212.tif 000004
【図３】
2006115212.tif 000005
【図４】
2006115212.tif 000006
【図５】
2006115212.tif 000007
【図６】
2006115212.tif 000008